(57)【特許請求の範囲】
【請求項１】
底壁と、該底壁の幅方向両側から起立する一対の側壁と、によりハーネス収容空間が画成された樋形状のハーネスプロテクタにおいて、
プロテクタの長手方向の開口端の近傍の結束バンドがハーネスに直接当たらない側の一方の側壁の少なくとも下半部に、内面が斜め上方を向いた傾斜壁を設け、その傾斜壁の下部に、前記ハーネス収容空間に収容したハーネスをプロテクタと共に結束する結束バンドの先端を挿入するためのバンド挿入口を設けたことを特徴とするハーネスプロテクタ。
【請求項２】
請求項１に記載のハーネスプロテクタであって、
前記プロテクタの長手方向の開口端の近傍に、平面視した場合に前記ハーネス収容空間を湾曲させた湾曲部が設けられており、その湾曲部の内周側の前記側壁に前記傾斜壁が設けられていることを特徴とするハーネスプロテクタ。
【請求項３】
請求項１または２に記載のハーネスプロテクタであって、
前記傾斜壁の上側に、前記底壁に対し垂直な側壁部分が残されており、その底壁に対し垂直な側壁部分と前記傾斜壁との交差部に鈍角の屈曲部が設けられていることを特徴とするハーネスプロテクタ。
【請求項４】
請求項１〜３のいずれか１項に記載のハーネスプロテクタであって、
前記傾斜壁を設けた側壁の上部に、前記バンド挿入口に通してハーネスを結束する結束バンドの位置ずれを防止する係合部を設けたことを特徴とするハーネスプロテクタ。
【発明の詳細な説明】
【技術分野】
【０００１】
本発明は、自動車等に配索されるワイヤーハーネスを収納して、外部との干渉から保護するハーネスプロテクタに関するものである。
【背景技術】
【０００２】
自動車等にワイヤーハーネスを配索する場合、ワイヤーハーネスを樋形状のハーネスプロテクタの内部に収容した上で、車体等に固定することがよく行われている。この種のハーネスプロテクタとしては、ワイヤーハーネスを直線状に収容するものや、湾曲状、あるいはＴ字状に収容するものなど、各種の形状のものがある。
【０００３】
このようなハーネスプロテクタにワイヤーハーネスを収容した場合、ワイヤーハーネスが浮き上がったり、がたついたりしないように固定しておく必要がある。従来では、その固定の仕方として、テープ巻きによる固定の他に、結束バンドを用いて固定することがよく行われている。
【０００４】
図４は結束バンドを用いて固定する場合の従来例（例えば、特許文献１参照）を示している。このハーネスプロテクタ１１０は、底壁１１１と、該底壁１１１の幅方向両側から起立する一対の側壁１１２、１１３とを有し、上面が開放した樋形状をなしており、それら３面の壁１１１、１１２、１１３によってハーネス収容空間Ｐを画成したものである。
【０００５】
底壁１１１の一方の側壁１１３寄りの位置には、結束バンド１２０の先端を挿通させるバンド挿入口１１５が明けられ、他方の側壁１１２の上端には、結束バンド１２０が位置ずれしないように係合する切欠部１１８が形成されている。
【０００６】
このハーネスプロテクタ１１０にワイヤーハーネスＷを収容して結束するには、例えば、結束バンド１２０の先端を、外からバンド挿入口１１４に通して、ハーネス収容空間Ｐ内に突出させ、更にワイヤーハーネスＷの上側に回して、切欠部１１８に通し、プロテクタ１１０の底壁１１１及び側壁１１３の外面に沿って延ばした結束バンド１２０の基端側のロック部に挿通させてロックする。これにより、ワイヤーハーネスＷを結束バンド１２０によりプロテクタ１１０に固定することができる。
【特許文献１】特開２００３−２３０２１２号公報
【発明の開示】
【発明が解決しようとする課題】
【０００７】
ところで、このプロテクタ１１０の場合、ワイヤーハーネスＷを底壁１１１と側壁１１２の交差するコーナー部１１６に押し付けて固定するので、ワイヤーハーネスＷの太さによっては、ガタツキが生じやすく、固定状態が安定しない可能性があった。
【０００８】
本発明は、上記事情を考慮し、ワイヤーハーネスの太さによらず、安定した固定状態を作り出すことのできるハーネスプロテクタを提供することを目的とする。
【課題を解決するための手段】
【０００９】
請求項１の発明は、底壁と、該底壁の幅方向両側から起立する一対の側壁と、によりハーネス収容空間が画成された樋形状のハーネスプロテクタにおいて、プロテクタの長手方向の開口端の近傍の結束バンドがハーネスに直接当たらない側の一方の側壁の少なくとも下半部に、内面が斜め上方を向いた傾斜壁を設け、その傾斜壁の下部に、前記ハーネス収容空間に収容したハーネスをプロテクタと共に結束する結束バンドの先端を挿入するためのバンド挿入口を設けたことを特徴とする。
【００１０】
請求項２の発明は、請求項１に記載のハーネスプロテクタであって、前記プロテクタの長手方向の開口端の近傍に、平面視した場合に前記ハーネス収容空間を湾曲させた湾曲部が設けられており、その湾曲部の内周側の前記側壁に前記傾斜壁が設けられていることを特徴とする。
【００１１】
請求項３の発明は、請求項１または２に記載のハーネスプロテクタであって、前記傾斜壁の上側に、前記底壁に対し垂直な側壁部分が残されており、その底壁に対し垂直な側壁部分と前記傾斜壁との交差部に鈍角の屈曲部が設けられていることを特徴とする。
【００１２】
請求項４の発明は、請求項１〜３のいずれか１項に記載のハーネスプロテクタであって、前記傾斜壁を設けた側壁の上部に、前記バンド挿入口に通してハーネスを結束する結束バンドの位置ずれを防止する係合部を設けたことを特徴とする。
【発明の効果】
【００１３】
請求項１の発明によれば、結束バンドがハーネスに直接当たらない側の側壁の少なくとも下半部に内面が斜め上方を向いた傾斜壁を設け、その傾斜壁の下部にバンド挿入口を設けたので、そのバンド挿入口から結束バンドの先端を挿入し、その先端を、傾斜壁を設けた側壁の上方を乗り越えさせて、結束バンドの基端部にロックさせることにより、ハーネスを傾斜壁に押し付けながら、結束バンドによって固定することができる。
【００１４】
この場合、結束バンドがハーネスに直接当たらない側の側壁に設けられた傾斜壁は斜め上方を向いているので、それに対向するバンド部によって、ハーネスを上側に浮き上がらないように、また、反対の側壁側に移動しないように、押さえ付けておくことができ、ハーネスの太さによらず、固定状態を安定させることができる。
【００１５】
つまり、底壁に押し付けて固定する場合は、上方への浮き上がりを防止することができ、一方、側壁に押し付けて固定する場合は、反対の側壁側に移動しないようにすることができる。そこで、従来では、底壁と側壁のコーナー部に向けてハーネスを押し付けることにより、縦方向への移動と横方向への移動を防止するようにしていた。しかし、コーナー部に押し付けた場合、いくら押し付けても、どうしても結束バンドの内側に空間が残ってしまいがちであり、それがハーネスが移動しやすい原因を作っていた。
【００１６】
それに対し、本発明では、上を向いた傾斜壁にハーネスを押し付けながら結束バンドを固定するので、コーナー部に押し付ける場合と違って無駄な空間ができにくく、従って、安定してずれにくい固定状態を維持することができる。
【００１７】
請求項２の発明によれば、プロテクタの長手方向の開口端の近傍に湾曲部が設けられており、その湾曲部の内周側の側壁に前記傾斜壁が設けられているので、その内周側に位置する傾斜壁に押し付けながらハーネスを固定することができる。従って、湾曲部に沿って収容し、開口端から外に引き出したハーネスの戻りを、結束バンドによって有効に抑えることができ、開口端から引き出したハーネスの直線性を維持することができる。
【００１８】
請求項３の発明によれば、傾斜壁の上側に、底壁に対し垂直な側壁部分が残されており、その底壁に対し垂直な側壁部分と傾斜壁との交差部に鈍角の屈曲部が設けられているので、その鈍角の屈曲部にハーネスを押し付けて固定することができ、より安定した固定状態を作り出すことができる。
【００１９】
請求項４の発明によれば、傾斜壁を設けた側壁の上部に、バンド挿入口に通した結束バンドの位置ずれを防止する係合部を設けたので、位置ずれすることなく、ハーネスを安定して固定することができる。
【発明を実施するための最良の形態】
【００２０】
以下、本発明の実施形態を図面に基づいて説明する。
【００２１】
図１は実施形態のハーネスプロテクタの全体構成を示す斜視図、図２はその端部構成を示す斜視図、図３はそのハーネスプロテクタにワイヤーハーネスを収容して結束バンドで止めた状態を示す端部の正面図である。
【００２２】
このハーネスプロテクタ１０は、底壁１１と、該底壁１１の幅方向両側から起立する一対の側壁１２、１３とを有し、上面がワイヤーハーネスＷを挿入できるように開放した樋形状をなしており、それら３面の壁１１、１２、１３によってハーネス収容空間Ｐを画成したもので、合成樹脂の一体成形品より構成されている。
【００２３】
このプロテクタ１０は、平面視した場合の形状が略Ｓ字形をなしており、長手方向の一方の開口端１９の近傍に、ハーネス収容空間Ｐが約９０度湾曲した湾曲部Ｃが設けられている。そして、その湾曲部Ｃの内周側（結束バンド２０がワイヤーハーネスＷに直接当たらない側）の側壁１２の下半部に、内面が斜め上方を向いた傾斜壁１４が設けられ、その傾斜壁１４の下部に、ハーネス収容空間Ｐ内に収容したワイヤーハーネスＷをプロテクタ１０と共に結束する結束バンド２０の先端を挿入するためのバンド挿入口１５が設けられている。
【００２４】
また、図３に示すように、傾斜壁１４の上側には、底壁１１に対し垂直な側壁部分１２Ａが残されており、その底壁１１に対し垂直な側壁部分１２Ａと傾斜壁１４との交差部に鈍角の屈曲部１２Ｂが設けられている。
【００２５】
また、傾斜壁１４を設けた側壁１２の上端外面には、バンド挿入口１５に通してワイヤーハーネスＷを結束する結束バンド２０の位置ずれを防止する係合部１６が設けられている。この係合部１６は、結束バンド２０の先端を通せるスリット付きの係合枠よりなる。
【００２６】
また、結束バンド２０は、長尺状のバンド部２１と、このバンド部２１の片面に長手方向に連続して形成された係止部２３と、バンド部２１の基端に設けられて、バンド部２１の先端側が挿通されると共に係止部２３と係合する係止爪（図示略）が形成されたロック部２２とからなる。係止部２３は、周知技術のため図示しないが、バンド部２１に対して垂直な面と傾斜した面とからなる断面三角形状の突起により形成されており、バンド部２１の長手方向に所定の間隔て連続的に形成されている。
【００２７】
このハーネスプロテクタ１０にワイヤーハーネスＷを収容して結束バンド２０で結束するには、結束バンド２０の先端を、係合部１６のスリットに下向きに通した後、傾斜壁１４の下部に設けたバンド挿入口１５から、ハーネス収容空間Ｐの内部に挿入する。次いで、結束バンド２０の先端を引っ張りながら、傾斜壁１４に沿わせたワイヤーハーネスＷの上側に回して、側壁１２の上端を越える位置で、結束バンド２０の基端のロック部２２に挿通させてロックする。これにより、ワイヤーハーネスＷを結束バンド２０によってプロテクタ１０に固定することができる。
【００２８】
このように、斜め上を向いた傾斜壁１４にワイヤーハーネスＷを押し付けながら固定した場合、従来のように底壁と側壁のコーナー部にワイヤーハーネスを押し付ける場合と違って、無駄な空間を作らずに、バンド部２１によって、ワイヤーハーネスＷを上側に浮き上がらないように、且つ、反対の側壁１３側に移動しないように固定することができる。従って、ワイヤーハーネスＷの太さによらず、安定して、ずれにくい固定状態を維持することができる。
【００２９】
また、湾曲部Ｃの内周側の側壁１２の下半部に傾斜壁１４を設けているので、湾曲部Ｃに沿って収容し、開口端１９から外に引き出したワイヤーハーネスＷの戻りを、結束バンド２０によって有効に抑えることができ、開口端１９から引き出したワイヤーハーネスＷの直線性を維持することができる。
【００３０】
また、本実施形態では、傾斜壁１４の上側に、底壁１１に対し垂直な側壁部分１２Ａを残し、その側壁部分１２Ａと傾斜壁１４との交差部に鈍角の屈曲部１２Ｂを確保しているので、その鈍角の屈曲部１２ＢにワイヤーハーネスＷを押し付けて固定することができ、より安定した固定状態を作り出すことができる。
【００３１】
また、傾斜壁１４を設けた側壁１２の上部外面に、結束バンド２０の位置ずれを防止する係合部１６を設けているので、位置ずれすることなく、ワイヤーハーネスＷを安定して固定しておくことができる。
【００３２】
なお、上記実施形態では、傾斜壁１４の上側に垂直な側壁部分１２Ａを若干残した場合を示したが、側壁１２の上端まで傾斜壁１４を連続させてもよい。
【図面の簡単な説明】
【００３３】
【図１】本発明の実施形態のハーネスプロテクタの全体構成を示す斜視図である。
【図２】同ハーネスプロテクタの端部構成を示す斜視図である。
【図３】同ハーネスプロテクタにワイヤーハーネスを収容して結束バンドで止めた状態を示す端部の正面図である。
【図４】従来のハーネスプロテクタにおける結束バンドの止め方の一例を示す断面図である。
【符号の説明】
【００３４】
１０  ハーネスプロテクタ
１１  底壁
１２  側壁
１２Ａ  側壁部分
１２Ｂ  屈曲部
１３  側壁
１４  傾斜壁
１５  バンド挿入口
１６  係合部
１９  開口端
２０  結束バンド
Ｗ  ワイヤーハーネス
Ｐ  ハーネス収容空間
【図１】
0004486589.tif 000002
【図２】
0004486589.tif 000003
【図３】
0004486589.tif 000004
【図４】
0004486589.tif 000005